(57)【要約】【課題】袋型のネットの口部を結束する場合に、結束クリップが抜けないように結束力を増強させることを課題とする。【解決手段】この結束クリップ１は、Ｕ字形状を有するプラスチック製の結束クリップであり、Ｕ字形状を形成する一対の脚部９同士を連結する連結部１０の内側面に、連結部１０の領域にわたって延びる突起１１を形成した。【選択図】　図１
2004010125.tif 000002
【特許請求の範囲】
【請求項１】
Ｕ字形状を有するプラスチック製の結束クリップにおいて、Ｕ字形状を形成する一対の脚部同士を連結する連結部の内側面に、前記連結部領域にわたって延びる突起を形成したことを特徴とする結束クリップ。
【請求項２】
請求項１の結束クリップにおいて、前記突起は、表裏方向の何れかに倒れやすい柔軟性を有し、該突起自身の表裏方向の何れかに傾斜部を有することを特徴とする結束クリップ。
【請求項３】
Ｕ字形状を有し、プラスチックからなる結束クリップにおいて、Ｕ字形状を形成する一対の脚部間の連結部の内側面に、前記連結部の軸方向に延びて先端部が尖った突起を有することを特徴とする結束クリップ。
【請求項４】
請求項３の結束クリップにおいて、前記突起の両側若しくは中央部の少なくとも一部に薄肉部を有することを特徴とする結束クリップ。
【請求項５】
Ｕ字形状を有するプラスチック製の結束クリップにおいて、Ｕ字形状を形成する一対の脚部の内壁部間の距離Ａと、一対の脚部の太さＢとの比率を、Ａ：Ｂ＝１：（０．８乃至１．５）の比率とし、前記距離Ａを２．５ｍｍ乃至４ｍｍに設定したことを特徴とする結束クリップ。
【請求項６】
Ｕ字形状を有するプラスチック製の結束クリップにおいて、Ｕ字形状を形成する一対の脚部同士の被結束物に接触しない外側面に、潤滑手段を施したことを特徴とする結束クリップ。
【請求項７】
請求項１〜請求項５の何れかの結束クリップにおいて、Ｕ字形状を形成する一対の脚部同士の被結束物に接触しない外側面に、潤滑手段を施したことを特徴とする結束クリップ。
【発明の詳細な説明】
【０００１】
【発明の属する技術分野】
本発明は、物を収納した袋の口部を結束する結束クリップに関する。
【０００２】
【従来の技術】
従来から、ポリエチレンの袋や袋型のネットの口部を止めるには、金属製の結束ステープルがある。この金属製結束ステープルは、ほぼ「Ｕ」字形状を有しており、プラスチックの袋口を結束ステープルの脚部の間に入れて脚部を内側に曲げることにより、プラスチックの袋を封じるようになっている。
【０００３】
【発明が解決しようとする課題】
しかし、結束ステープル自体が金属探知器やＸ線に反応するため、中身への異物混入の検出しにくいという問題がある。そこで、結束クリップが用いられている。この結束クリップは、例えばポリカーボネートなどで成形され、Ｕ字形状を有している。
【０００４】
しかし、袋型のネットは、ネットをもっとも小さく収束するとポリエチレンの袋より小さく収束される一方、結束クリップはネットを結束するために十分小さく曲げられないために、結束力が不足し、結束クリップが抜けてしまうという問題がある。
【０００５】
本発明は、このような問題に着目してなされたものであり、袋型のネットの口部を結束する場合に、結束クリップが抜けないように結束力を増強させることを目的とする。
【０００６】
【課題を解決するための手段】
上記課題を解決するために、本願の請求項１の結束クリップは、Ｕ字形状を有するプラスチック製の結束クリップにおいて、Ｕ字形状を形成する一対の脚部同士を連結する連結部の内側面に、前記連結部領域にわたって薄く延びる突起を形成したことを特徴とする。
【０００７】
本願の請求項２の結束クリップは、請求項１の結束クリップにおいて、前記突起は、表裏方向の何れかに倒れやすい柔軟性を有し、該突起自身の表裏方向の何れかに傾斜部を有することを特徴とする。
【０００８】
本願の請求項３の結束クリップは、Ｕ字形状を有し、プラスチックからなる結束クリップにおいて、Ｕ字形状を形成する一対の脚部間の連結部の内側面に、前記連結部の軸方向に延びて先端部が尖った突起を有することを特徴とする。
【０００９】
本願の請求項４の結束クリップは、請求項３の結束クリップにおいて、前記突起の両側若しくは中央部の少なくとも一部に薄肉部を有することを特徴とする。
【００１０】
本願の請求項５の結束クリップは、Ｕ字形状を有するプラスチック製の結束クリップにおいて、Ｕ字形状を形成する一対の脚部の内壁部間の距離Ａと、一対の脚部の太さＢとの比率を、Ａ：Ｂ＝１：（０．８乃至１．５）の比率とし、前記距離Ａを２．５ｍｍ乃至４ｍｍに設定したことを特徴とする。
【００１１】
本願の請求項６の結束クリップは、Ｕ字形状を有するプラスチック製の結束クリップにおいて、Ｕ字形状を形成する一対の脚部同士の被結束物に接触しない外側面に、潤滑手段を施したことを特徴とする。
【００１２】
本願の請求項７の結束クリップは、請求項１〜請求項５の何れかの結束クリップにおいて、Ｕ字形状を形成する一対の脚部同士の被結束物に接触しない外側面に、潤滑手段を施したことを特徴とする。
【００１３】
【発明の実施の形態】
以下、本発明の実施の形態にかかる結束クリップを図面を用いて説明する。
【００１４】
図１は本発明の第１の実施の形態にかかる結束クリップ１の斜視図を示し、図５は図１の結束クリップカッター１の正面図を示している。この結束クリップ１は、図２，図３に示すように、複数の結束クリップ１の連結体２の一部である。この結束クリップ１は、図３に示す自動袋結束機３のドライバー４とクリンチャー５との間に供給される。
【００１５】
自動袋結束機３のドライバー４とクリンチャー５は金属板からなり、ドライバー４が、静止しているクリンチャー５に対して接近したり、離間するように駆動される。ドライバー４及びクリンチャー５の相互に対向するそれぞれの対向面には、結束クリップ１をリング状に成形するための凹部４Ａ、５Ａが形成されており、ドライバー４側の凹部４Ａに結束クリップ１が供給される。結束クリップ１の連結体２は、ドライバー４の下方に設けられるケース６に保持されている。ドライバー４は、ケース６の上板部６Ａを摺接し、連結体２の上端部に位置する結束クリップ１を連結体２から分離して、クリンチャー５側に送り出す。クリンチャー５は、自動袋結束機３の支持板７に保持されており、ドライバー３が接近・離間する。
【００１６】
結束の対象となる袋型のネット８の口部は、結束クリップ１の一対の脚部９の間に供給される。結束されるネット８は、例えば、蜜柑等の果実が４〜１０個程度収納されるための大きさの物であり、ネットの規格は、一例として、ネットの繊維の太さは０．２ｍｍ前後、繊維の数は１６０本、ネットの目数は８０、横に広げたときの最大幅を示す折り径が２３０ｍｍ程度のものを挙げることができる。
【００１７】
図１は結束クリップ１の斜視図を示す。図１に示す結束クリップ１を複数連結した連結体２は、例えば、ポリカーボネート、ポリカーボネートとＡＢＳ樹脂のブレンドした樹脂で構成される。結束クリップ１は、一対の脚部９が連結部１０によって一体に成形され、連結部１０の内側面１０Ａに薄板状の突起１１が形成されている。
【００１８】
突起１１は一対の脚部９の一方の根元から他方の根元までの領域に形成され、突起１１の内側は傾斜面１２とされている。また、突起１１の両側と一対の脚部９の間は隙間１１Ａが設けられており、突起１１が撓みやすくなるように形成されている。
【００１９】
結束クリップ１は、自動袋結束機３に装填されるときに、突起１１が上側に位置し、傾斜面１２が下向きになるように、装填される。この実施の形態の結束クリップ１では、傾斜面１２は図６の断面図において脚部９を直角に横切る基準線１３に対して約８０度の角度θをなしている。
【００２０】
自動袋結束機３に装填されるときに、突起１１が結束クリップ１において上側に位置して装填され、Ｕ字形状を有する結束クリップ１の突起１１が柔軟性を有するので、ネット８内部の収納物の移動が結束クリップ１をネット８の上部に移動することを防止し、結束クリップ１の脱落を防止できる。
【００２１】
更に、ネット８を結束したときに、突起１１がネット８の結束部分の上側に撓む状態でネット８を結束することとなるため、結束クリップ１をネット８から抜こうとする力が作用するときに、突起１１がネット８に掛止し、更に結束クリップ１の抜け落ち防止効果が向上する。
【００２２】
図７は第２の実施の形態にかかる結束クリップの正面図を示す。この結束クリップ２０は、一対の脚部２１の間の連結部２２の内側面に連結部２３より薄肉の突起２３が形成されている。この突起２３は一対の脚部２１がリング状に曲げられるときに、一対の脚部２３にて形成される平面の上下の何れかの方向に撓む若しくは変形する性質を有するものであって良いし、溝などを備えていても良い。
【００２３】
図８（ａ）は第３の実施の形態にかかる結束クリップの正面図を示す。この結束クリップ２４の一対の脚部２５と連結部２６との境界部の内側面には、図８（ｂ）に示すように、溝２７が形成されている。この溝２７は脚部２５及び連結部２６を細くするものではなく、この溝２７によって連結部２６より薄肉の突起２８が上下に形成されている。この突起２８は一対の脚部２５がリング状に曲げられるときに、一対の脚部２５にて形成される平面の上下の何れかの方向に撓む若しくは変形する性質を有するものである。この掛止突起２８は、ネットを結束するときに先端部が広がって斜めの状態となり、ネットから結束クリップ２４を抜こうとする力が作用しても、結束クリップ２４が抜け難くなる。
【００２４】
図９（ａ）は第４の実施の形態にかかる結束クリップの正面図を示す。この結束クリップ３０は、一対の脚部３１と連結部３２とでＵ字形状に成形されており、連結部３２の内側面には、図９（ｂ）に示すように、突起３３が形成されている。
【００２５】
この突起３３は傾斜面３４を備えており、この傾斜面３４が設けられている。突起３３が設けられているので、傾斜面３４の先端部がネットの上に位置するように自動袋結束機に装填すると、結束クリップ３１がリング状に曲げられてネットを結束するときに（図９（ｃ）参照）、突起３３が図９（ｄ）のように撓むので、傾斜面３４の逆止効果により、ネットから結束クリップ３０が抜け難くなる。なお、突起３３’は図９（ｅ）に示す断面形状に形成すると、結束クリップ３０の表裏を考慮しなくても良いので、結束クリップ３０の連結体の装填に手間がかからない。
【００２６】
図１０は第５の実施の形態にかかる結束クリップの正面図を示す。この結束クリップ３５は、一対の脚部３６と連結部３７とでＵ字形状に成形されており、連結部３７の内側面には、突起３８が複数個形成されている。この突起３８によりネットの結束時に突起３８がネットに食い込むこととなり、結束クリップ３５がネットから抜け難くなる。
【００２７】
図１１（ａ）（ｂ）は第６の実施の形態にかかる結束クリップの正面図を示す。この結束クリップ４０は、一対の脚部４１の間の連結部４２の内側面に連結部４２より薄肉の突起４３が形成されている。突起４３の先端部は波線形状に凹凸が形成されており、突起４３がリング状に曲げられるときに、一対の脚部４１にて形成される平面の上下の何れかの方向に撓む若しくは変形してネット８を結束する。
【００２８】
図１２（ａ）（ｂ）は第７の実施の形態にかかる結束クリップの正面図を示す。この結束クリップ４５は、一対の脚部４６の間の連結部４７はＭ字形状に形成されており、連結部４７の内側には突起４８が形成され、突起４８の両側に薄膜状の突起４９が形成されている。図１２（ｂ）に示すように、結束クリップ４５がリング状に曲げられるときに、連結部４７の突起４８がネット８に食い込むと共に、突起４９が撓んでネット８を結束する。
【００２９】
図１３〜図１６は第８の実施の形態にかかる結束クリップの正面図を示す。この結束クリップ５０は、一対の脚部５１の間の連結部５２の内側面に突起部５３が形成されている。突起部５３は、図１６に示すように、傾斜面５４によって山形状の断面に形成されている。一対の脚部５１の先端部外側には脚部５１を先細りにする傾斜面５５が形成され、結束クリップ５０がリング状に曲げられるときに、脚部５１を丸く形成しやすくなっている。また、突起部５３の先端部が尖った状態になっているので、ネットを結束するときに、突起部５３がネット８に食い込んで結束する。
【００３０】
図１７〜図２０は第９の実施の形態にかかる結束クリップの正面図を示す。この結束クリップ６０は、一対の脚部６１の間の連結部６２の内側面に突起部６３が形成されている。突起部６３は、図１９の結束クリップ６０の正面図中央縦断面図に示すように、傾斜面６４によって山形状の断面に形成されている。
【００３１】
突起部６３の両側には溝６４がそれぞれ形成され、図１８の結束クリップ６０の正面図に示すように、溝６４により薄肉部６５が形成されている。結束クリップ６０がリング状に曲げられるときに、薄肉部６５が設けられているので、脚部６１を丸く小径に曲げてネット８を締めやすくなっている。また、突起部６３の先端部が尖った断面を有するので、ネットを結束するときに、突起部６３がネット８に食い込んで結束する。
【００３２】
図２１、図２２は、請求項５の実施の形態にかかる結束クリップ７０を示す。この結束クリップ７０は、Ｕ字形状を形成する一対の脚部７１の内壁部間の距離Ａと、一対の脚部７１の太さＢとの比率が、Ａ：Ｂ＝１：（０．８乃至１．５）の比率とし、内壁部間の距離Ａが２．５ｍｍ乃至４ｍｍに設定されているものである。
【００３３】
店等で販売されている果物や野菜等を入れる袋型のネット８は、ネットを広げるための網目の数を表す目数が８０、網を構成する繊維の本数が１６０本、網を構成する繊維の太さを０．２ｍｍとされることが多く見受けられるので、このようなネットの口部を収束すると、収束された繊維の集まりの面積は、少なくとも５平方ミリメートル程度となる。従って、結束クリップ７０でネットを結束する場合の最小面積は、５平方ミリメートルとなる。図２２に示すように、この場合の結束クリップ７０を円形に丸めた場合の、内壁部間の距離Ａは２．５ｍｍが最小となるが、内壁部間の距離Ａを大きく採るに従って、結束力が低下する。
【００３４】
一方、上述のようなネットに野菜・果実（例えば蜜柑等）を３〜１０個入れて結束するには、少なくとも４Ｋｇｆの結束力が要求される。そこで、少なくとも４Ｋｇｆの結束力を確保しつつ、自動袋結束機により丸めることが可能な結束クリップ７０の内壁部間の距離Ａを求めたところ、距離Ａの最大値は４ｍｍであることを得た。このような条件を満足する結束クリップ７０は、ポリカーボネート若しくはポリカーボネートにＡＢＳ樹脂をブレンドした樹脂を用いることにより得ることができ、このような結束クリップ７０によれば、結束力も十分で割れにくく、十分な結束力を得ることができる。
【００３５】
図２３（ａ）（ｂ）は、請求項６、７の実施の形態にかかる結束クリップ８０を示す。この結束クリップ８０は、図２に示すように複数個の結束クリップ８０を連結した連結体の一つである。結束クリップ８０は、ポリカーボネート、ポリカーボネートとＡＢＳ樹脂の混合物等により構成されている。略Ｕ字形状の結束クリップ８０は、一対の脚部８１を有し、一対の脚部８１の根元を接続している部分が連結部８２である。
【００３６】
一対の脚部８１の外側面８３には、例えば、シリコン系、パラフィン系の潤滑剤が潤滑手段として塗布され、一対の脚部８１の内側面８４及び連結部８２は結束クリップ８０の素材が露出しており、潤滑剤は塗布されていない。一対の脚部８１の潤滑剤が塗布される部位は、脚部８１の外側面８３であって、脚部８１から連結部８２に移行する外側のＲが始まる部分から脚部先端部までとされている。
【００３７】
このため、ドライバによってクリンチャ側に押されたとき、金属製のドライバが滑ることが防止される一方、結束クリップの脚部８１は、図２４に示す金属製のクリンチャ８５の溝８６の中を滑ってネットを絞り込むようにきつくクリンチできる。
【００３８】
【発明の効果】
本願の請求項１の結束クリップによれば、一対の脚部の間の連結部内側面に、連結部領域にわたって薄く延びて表裏方向に柔軟性を有する突起を有することにより、袋型のネットを結束するときに、突起が倒れやすい方向をネットの袋口に位置するように結束すると、ネットの口部側に向かって突起が倒れ、ネットから結束クリップが外れようとするときに、突起がネットにかかって結束クリップが抜けることを防止できる。
【００３９】
本願の請求項２の結束クリップによれば、突起が表裏方向の何れかに傾きを有すると、袋の口部側に傾斜部の上部を位置させて、結束クリップで袋を結束することにより、袋からの結束クリップの抜けを防止できる。
【００４０】
本願の請求項３の結束クリップによれば、一対の脚部間の連結部に形成された突起の先端部が尖っていることにより、袋の口部を結束したときに、結束された袋の収束部に連結部の突起が食い込むこととなり、結束クリップが抜けることが防止される。
【００４１】
本願の請求項４の結束クリップによれば、一対の脚部間の連結部に形成された突起に薄肉部が形成されているので、袋を結束したときに収束した部分に突起が食い込むと共に、薄肉部が形成されていることにより、薄肉部が撓むため、結束クリップの結束時のリング形状が小さくなり、袋の結束力が増強される。
【００４２】
本願の請求項５の結束クリップによれば、果物や野菜等を収納する市販されている袋型のネットの口部を、自動結束機で結束する場合に、一対の脚部の内壁部間の距離とネットを結束するために必要な一対の脚部の太さとの比率を、１：０．８乃至１．５とし、一対の脚部の内壁部の距離を２．５乃至４ｍｍとすることで、ネットを結束するに必要な結束力を十分なものとすることができる。
【００４３】
本願の請求項６、７の結束クリップによれば、一対の脚部同士の被結束物に接触しない外側面に、潤滑手段を施したので、クリンチャの溝の中を滑り、ドライバとクリンチャから加わる力を結束クリップに伝えることができるため、ネットなどの被結束物を強く締めることができ、一対の脚部の内側面は被結束物の保持力が低下する恐れがないので、結束クリップが抜ける恐れもない。
【図面の簡単な説明】
【図１】図１は本発明の第１の実施の形態にかかる結束クリップの斜視図である。
【図２】図２は第１乃至第１０の実施の形態にかかる結束クリップの斜視図である。
【図３】図３は第１乃至第１０の実施の形態にかかる結束クリップの連結状態を示す図である。
【図４】図４は第１乃至第１０の実施の形態にかかる結束クリップを結束させる自動結束機のドライバー及びクリンチャーの主要部を示す説明図である。
【図５】図５は図１の結束クリップの正面図である。
【図６】図６は図５に示す結束クリップの中央縦断面図である。
【図７】図６は第２の実施の形態にかかる結束クリップの正面図である。
【図８】図８（ａ）は第３の実施の形態にかかる結束クリップの正面図である。
図８（ｂ）は図８（ａ）の結束クリップの脚部の断面図である。
【図９】図９（ａ）は第４の実施の形態にかかる結束クリップの正面図である。
図９（ｂ）は図９（ａ）の結束クリップの脚部の断面図である。
図９（ｃ）は図９（ａ）の結束クリップによって袋型のネットを結束した状態の断面図である。
図９（ｄ）は図９（ａ）の結束クリップの脚部がネット結束時に撓んだ状態の断面図である。
図９（ｅ）は図９（ａ）の結束クリップの他の形状の脚部の断面図である。
【図１０】図１０は第５の実施の形態にかかる結束クリップの正面図である。
【図１１】図１１（ａ）は第６の実施の形態にかかる結束クリップの正面図である。
図１１（ｂ）は第６の実施の形態の結束クリップにより袋型のネットを結束した状態の断面図である。
【図１２】
図１２（ａ）は第７の実施の形態にかかる結束クリップの正面図である。
図１２（ｂ）は第７の実施の形態の結束クリップにより袋型のネットを結束した状態の断面図である。
【図１３】図１３は第８の実施の形態にかかる結束クリップの斜視図である。
【図１４】図１４は第８の実施の形態にかかる結束クリップの正面図である。
【図１５】図１５は第８の実施の形態にかかる結束クリップの側面図である。
【図１６】図１６は第８の実施の形態にかかる結束クリップの正面図中央縦断面図である。
【図１７】図１７は第９の実施の形態にかかる結束クリップの斜視図である。
【図１８】図１８は第９の実施の形態にかかる結束クリップの正面図である。
【図１９】図１９は第９の実施の形態にかかる結束クリップの正面図中央縦断面図である。
【図２０】図２０は第９の実施の形態にかかる結束クリップの薄肉部の縦断面図である。
【図２１】図２１は第１０の実施の形態にかかる結束クリップの正面図である。
【図２２】図２２は第１０の実施の形態にかかる結束クリップが丸められた状態の説明図である。
【図２３】図２３（ａ）は第１１の実施の形態にかかる結束クリップの正面図、図２３（ｂ）は結束クリップの側面図である。
【図２４】図２４は結束クリップの脚部をクリンチするクリンチャーの斜視図である。
【符号の説明】
１　　結束クリップ
２　　連結体
３　　自動袋結束機
４　　ドライバー
５　　クリンチャー
８　　ネット
９　　脚部
１０　連結部
１１　突起
１２　傾斜面
【図１】
2004010125.tif 000003
【図２】
2004010125.tif 000004
【図３】
2004010125.tif 000005
【図４】
2004010125.tif 000006
【図５】
2004010125.tif 000007
【図６】
2004010125.tif 000008
【図７】
2004010125.tif 000009
【図８】
2004010125.tif 000010
【図９】
2004010125.tif 000011
【図１０】
2004010125.tif 000012
【図１１】
2004010125.tif 000013
【図１２】
2004010125.tif 000014
【図１３】
2004010125.tif 000015
【図１４】
2004010125.tif 000016
【図１５】
2004010125.tif 000017
【図１６】
2004010125.tif 000018
【図１７】
2004010125.tif 000019
【図１８】
2004010125.tif 000020
【図１９】
2004010125.tif 000021
【図２０】
2004010125.tif 000022
【図２１】
2004010125.tif 000023
【図２２】
2004010125.tif 000024
【図２３】
2004010125.tif 000025
【図２４】
2004010125.tif 000026